(57)【要約】【課題】  海洋の波に関して現時点では、他のエネルギー源、例えば、石油、天然ガス、原子力、水力などと比べて有望なエネルギー源に成り得ていない。発電コストがその最大の課題だからである。本発明は、振り子式のその発電方式によって、その課題解決を提供しようとする。【解決手段】  数基、あるいはそれ以上の数をもって一つの構造物とし、その構造物を岸より沖へ向かって海面に並べ置き、沖より進み来る波をその構造物の開口部にて、振り板とも言える板で受け、その受け板の傾きを、バネをもって捉え、エネルギーとして蓄え、その蓄え得られたバネエネルギーを、その受け板と一体となす、チェーンを巻いた扇型円盤に、そして、それと対になる鎖歯車に、その歯車に具えられたラチェット、そのラチェットの働きを得て歯車の軸に伝え、発電等のエネルギー化を図る。【選択図】図３
2011236844.tif 000002
【特許請求の範囲】
【請求項１】
海洋の波を受けるに、二つの支柱をもってなす開口部が在り、その開口部に支点があり、その支点を中心に動く振り板が用意され、その振り板と芯を同じくして扇型円盤板、あるいは円盤板がその振り板に固定される、その振り板をもって波を受ける手段とする一方、その円盤の円周上を歯車の歯を施す、あるいは、チェーンをもって固定されるもの、その円盤板と対になる小歯車、あるいは鎖歯車とをもって、その得られたエネルギーの伝達手段とし、その両支柱の上部同士を固定された板、あるいはそれに類する物と、その振り板の外端を含め、両円盤外周部付近に設けた板、あるいはそれに類する物との間にバネを取り付け、その波エネルギーをバネの伸縮をもって蓄え、その蓄え得られたバネエネルギーをその前記記載の円盤板に、そして、それと対になる小歯車、あるいは鎖歯車に、その対になる歯車にはラチェットが具され、そのラチェットの働きを得てその歯車の軸に伝え、それによって、発電等のエネルギーの取得を行うことを特長とした浮体、あるいは浮体構造を持つ振り子式波力発電装置
【請求項２】
前記請求項１の記載内容を含み、かつ当該扇型円盤板、あるいは円盤板の両側に設けた横板とその円盤板の間で、その円盤の中心に通された軸、その軸を支えるその横板の軸受け部にそのラチェットの歯本体を固定する一方、そのラチェットの爪の支点となる軸をその円盤板に固定して、一つのラチェットとし、それを設ける一方、そのラチェットの爪のその支点軸より外に、もう一つの軸をその円盤板に固定し、その軸を中心に回る板を用意し、その板の外端に、孔の明いた容器、あるいは、下記記載と同じ働きをする容器を固定し、その軸を越えて延びる他方の板の端と、当該ラチェットの爪と一体となす板、その支点軸を超えて延びるその板とを連結せしめ、その連結は、その容器の動くに対し、当該ラチェットの爪も同時に動く連結構造とし、そのラチェットの爪の支点軸と、その外の軸との間に押しバネ、あるいは引きバネを用意して、その容器に満たされた海水の減少により、そのバネが働き、それによってラチェットの爪がその歯より外れ動くことを特長とした浮体、あるいは浮体構造を持つ振り子式波力発電装置  
【発明の詳細な説明】
【技術分野】
【０００１】
本発明は、海洋の波、その持つエネルギーを有効にエネルギー化しようとするその技術に関するものである。
【背景技術】
【０００２】
近年、エネルギーの必要性から、波からそのエネルギーを取り出そうとする試みはなされるようになった。それへの試みは、現在、発電をもってエネルギー化を図るのが一般的である。電気エネルギーへの変換は、その多くは回転運動によってなされている。その波エネルギーを回転運動に変えには、１）、上下波のその動きを室内で、そこでの空気を圧縮し、その圧縮空気でタービン等を回す。２）、上下波とその波の遥動をラチェットで捉え、一方向の回転を得る。３）、波のその周期に合わせて、先ず、受け板をもって受け、その得たエネルギーを油圧シリンダーポンプ、あるいは、油圧ロータリーポンプなどで捉え、その経路を経て高速回転に、更に、発電へと導こうとする。
【先行技術文献】
【特許文献】
【０００３】
【特許文献１】特開２００１−２７１７３５号公報
【特許文献２】特開２００２−１４２４９８号公報
【特許文献３】特開２００６−１８９０１８号公報
【非特許文献】
【０００４】
【非特許文献１】http://www.cdit.or.jp/magazine/vol1/p01.html；財団法人沿岸技術研究センター機関誌CDIT；エコエネルギー「環境にやさしい沿岸域づくり」
【発明の概要】
【発明が解決しようとする課題】
【０００５】
波からのエネルギー取得を、発電をもってするに、その発電に適した高速回転化が必須の条件となる。その第１例においては、上下波の動きを得て、施設室内の空気を圧縮し、その圧縮空気でタービン等を回し、高速回転を得ようとする。がしかし、その取得エネルギーは小さい。それは圧縮空気の持つエネルギー密度が小さい故にある。その第２例においては、波エネルギーを取得可能なエネルギーとして、一方向の回転化は実現している。しかしそれは、上下波とその揺動運動によるもので、それは主に、海水の持つ位置エネルギーに依存したものであり、それもまた、そのエネルギー取得量は少ない。（位置エネルギーからのエネルギー取得は、単位面積当たりのそこで得られるエネルギー量が知るならば理解されるところである）また、同装置からの高速回転化も容易ではない。また、第３例のそれは「振り子式波力発電装置」と言われるもので、その方式においては波を、受け板をもって受ける、それは進行波と言うきわめて大きいエネルギー密度を得てもので有望である。（理；進み来る波を、速度を持った質量と見るならば、それは即ち、慣性を持った物体である。従って、その物自身は慣性エネルギーを持つ。本発明者は、先に述べた、その上下波の持つ位置エネルギーに比べ、波の持つその慣性エネルギーの方が遥かに大きいと見る）  がしかし、その方式においても、その受け板は波のその周期に合わせてのもので、その初期より、低速駆動部分があり、発電に必要なその高速回転へと導くには、その動力伝達手段等に課題がある。また、発電コストも課題とされる。それら先行技術には、それぞれ課題を持つ。それは、高速回転化、エネルギー取得量、そして、発電コストという三つの課題である。それらを同時に解決しようとする、それが本発明前の課題である。
【課題を解決するための手段】
【０００６】
本発明は、それら課題を歯車の回転比（あるいは、その歯車と同等なものでその回転比が得られるもの）、ラチェット機構、バネ等の機械的な要素部品を用いてその解決をなそうとする。先ず、その波の持つエネルギーを回転運動化さすに、浮体（あるいは、浮体構造を持つもの）であって、そこに、波を受け入れる開口部があり、その開口部に支点を中心にして動く振り板を、その振り板の支点と芯を同じくする扇型円盤板、その振り板と円盤板をもって一体とし、その円盤円周上を、チェーンをもって固定し、その円盤と対になる鎖歯車、その歯車にはラチェットが具えられ、それをもってその高速回転と、一方向の回転を得ようとする。その仕組みは、最初、波によってその板は支点を中心に岸側に傾くが、その動き得た量を、バネをもって捉え、その蓄え得られたバネエネルギーを、その円盤に、そして鎖歯車に、さらに、そのラチェットの働きを得て、その歯車の軸に伝えようとするものである。図１はそれを示す。
【０００７】
一方、それとは別に、その波がその装置内を通過するまで、傾いたその受け板をそのまま一時、保つ必要がある。それは、受け板にのしかかる、その海水の重さを無くそうとするもので、それは、図２の如くで、ラチェットと、孔の明いた柄杓とも言える容器、それと、押しバネをもって構成される。そのラチェットであるが、そのラチェットの歯本体は扇型円盤の外両脇に設けたその横板に固定し、そしてそのラチェットの爪側のその支点となる軸はその扇型円盤側に固定される。（そのラチェットの歯本体の設置位置は、その扇型円盤の中心穴に通された軸のその軸受けと同芯）  また、孔の明いた柄杓とも言える容器は、その図から分かるように、その波が通り過ぎる間、その容器に溜まった海水の量を減じさせその目的とする。すなわち、その容器が軽くなるならば、そこに示された押しバネが働き、それによりそのラチェットの歯から爪を離れる。その一連の働きをもって、その波がその装置内を通過するまで、海面と平行、あるいは、平行近くまで傾いたその受け板をそのまま、保ち維持させることができる。
【０００８】
さらに、その装置全体、特に、その扇形円盤の中心がその平均海面と同一になるよう、講じる必要がある。（それは、波の持つ上下波のその上部の波と、もう一つ、進行波というその波の持つエネルギーの取得をなさんが為である）その一例として、その両支柱の両脇を、二つの浮体をもって支える。これをもって、同装置は、常に、ある高さをもって、海面上に浮かび、その波に向かい、対することができる。図３はそれを示すもので、その浮体を沖へ、岸へと長く延ばすならば、その波の上下に係わらず、その装置全体は常に、その波に影響されず、ある高さを維持、保つことができる。あるいは、同装置を更に重くして、少々の波に動じない浮体構造をその海底との間で構築し、また、その平均海面も、センサーなどを用いて測定し、それによりその重量物を上げ下げして、その高さを保つ手法もある。図５はそれを示したもので、浮体に対して、そのような浮体構造を持つ装置である。
【０００９】
次に、そのラチェット付の鎖歯車についてであるが、それは自転車に使われる、それと同様なもので、最初、波力によって動かされたその受け板と円盤はその軸を中心に回り、その鎖歯車もまた、回転する。しかし、その鎖歯車の軸は回らずの設定で、その波が通り過ぎた後においては、先に説明した柄杓と連動したそのラチェットの働きを得て、今度は、鎖歯車のそのラチェットも利いて、その蓄えられたバネエネルギーはその軸に伝えられる。
【００１０】
かかる装置において、その波によってメトロノームの針の如く動く受け板は、たとえ、その波の周期が遅くても、その受け板と一体となすその扇形円盤の外周の速度は速い。外周の速度、それはチェーンの速度であり、その速度がその鎖歯車を回し、回転させる。その回転数は、扇形円盤の径と鎖歯車の径によって決まる。仮に、扇形円盤の半径を600ｍｍ、そして、その鎖歯車の半径を、30ｍｍとし、また、波によって動く受け板の外周速度とそのバネによって、戻されるその受け板の外周速度が同じとするならば、その鎖歯車は扇形円盤に比べ、20倍の回転数を得ることになる。（これは同じ振り子式の事例、特開２００１−２７１７３５号公報、そして、特開２００２−１４２４９８号公報、での課題であった、エネルギー取得時のその初期に、高速回転化を可能にするものである。）
【００１１】
ここにおいて、その力学を基礎に置くならば、仮に、その初期のトルクが同じならば、その回転の高速化は必然的に、その力を弱くする。本発明者は、先の述べた、上下波の持つ位置のエネルギーに対し、その進行波について、“きわめて大きいエネルギー密度を得てもので有望である”と述べたが、今、それについて言及をしようとする。
【００１２】
これは学術的なことなので、その多くは述べないが、その上下波について、仮に、その波高が1メートルとすると、その位置のエネルギーの最大値は、Ｅ＝ｍｇｈ  の式で表される。ｍは質量であり、そのｇは重力の加速度であり、そして、そのｈは波の高さである。そして、その式の単位は、［Ｎ・m］である。すなわち、それは［Ｊ］で表される。Ｊはジュールと呼ばれている。もし、そのｍを１メーター立方、その海水の比重Cを約1g/cm3とすれば、1000ｋｇで、これにより、Ｅ＝1000×9，8×１＝9800［Ｊ］  そして、時間当たり、その波が何回、あるかによって、そのワット数がはじき出される。一方、その進行波について、本発明者は、その波をある質量を持つ物体と捉え、その物体がある速度をもって岸に邁進すると考え、一つの結論を出そうとする。その物体が持つ運動エネルギーは次式によって示される。すなわち、
E=ｍ×ｖ２÷2
で表される。その沖での波が同じ1メートルと仮定するとする。それが遠浅海岸においては、その同じ波高の波が、１・５メートル、あるいは、２メートルにもなると想定しよう。その場合のワット数を計算しようとする。その場合、その波速を８メートル/秒と仮定し、その波をドラム缶のような円筒と捉えるとすると、そのｍをC×π×Ｄ２×Ｌ÷４で表すとするならば、そのＤは１・５メートル、そのＬは波の幅でそれを1メートルとすると、その質量は、約、1,770ｋｇである。これにより、そのエネルギーは、約56,600［Ｊ］であり、また、そのＤは２メートルとするならば、約100,000［Ｊ］にもなる。そして、時間当たり、その波が何回、あるかによって、そのワット数がはじき出される。これにより、上下波と、進行波の持つ、そのエネルギーの大きさの違いを知ることができる。この事から、もし、遠浅海岸と同じような斜面形体（図５のB1の如く）を本発明施設と併せ持つならば、その大きなエネルギーの取得は可能である。本発明が目指すのは、進行波と表現されているその波の持つ高エネルギーの取得である。
【００１３】
進行波のもたらすその力とエネルギーは、その高速回転にもかかわらず、なお力を保ち、課題克服を果たそうとするが、それによって得たのが図３の如くである。その図中にある、その軸後方に動力取得装置と記している部分について、更に、その説明を加えるならば、仮に、近くに高台があるか、あるいは、その海岸近くに、高圧タンクを設置するか、したならば、その動力取得装置としてポンプを使用し、それによって、その海水、あるいは真水を高圧化し、それを移送して、その移送先にてそのエネルギーとして蓄え、次にそれを発電へと導くこともできる。そのポンプ使用は、その動力取得装置のその一つであるが、他に、同装置内において、更なる高速回転化して、そのエネルギーを、発電機をもって発電化し、近くの集電施設へ、その電気を供給する方法もある。
【発明の効果】
【００１４】
係る施設を、数基を岸より沖へ、その海上に浮かべ、並べ置くとする。（多変性を持つ、その海洋の波を想定するならば、最初、図４のように、その施設を数基、更に、数基をその海に向かってある高さに置き、必要に応じ、海面に下ろし、その波に向かうならば、たとえ、その波が大波を超える波であったとしても十分、その波に対処できる。むしろ、本発明は、そのような大きな波さえも、そのエネルギー取得をなそうとする。）その最初の大きく、そして勢いのあるその波に対して、それに対峙するその最初の施設A0 の受け板は、その力をもろに受け、その板は大きく傾き、それによって同施設のバネB0は大きく引き伸ばされる。その分、その波の持つエネルギーを減らすが、それは同時に、そのバネにエネルギーとして蓄えられる。しかしなお、その波にその勢いがあるならば、次の施設へと向かう。そこでも同じことがなされる。そして、次々とその波はそれら施設内を通過することになる。その間、波は次第にその勢いを無くし、次第に小波になると予想される。その孔の明いた柄杓とも言える容器は、波がその装置内を通過するまで、その受け板に圧し掛かっているその海水の重みが無くなるまでの時間を得るための装置で、これによって、そのエネルギーは無駄なく、その多くがそれら施設内で、バネエネルギーに変換され、そしてそれが更に、電気に変換されることになる。同施設の使用においては、その波からのエネルギー取得に際し、一切、二酸化炭素を出さず、また、原子力発電で指摘されるような放射能物質、さらに、その施設の安全性に対しても、それは比べるまでもない。今、地球の温暖化が人類の生存に係わるまでになってきている時、その温暖の原因とされる二酸化炭素の削減の切り札として本発明はきわめて有望である。また、その波力発電の課題であった、発電コストにおいても、その図３から見ても分かるように、必要、最小限の機械要素部品を用いての技術構築であって、従来、提案されている、多くの波力発電装置に比べて、機能的で、且つ、簡素であり、その低コスト発電を可能で、それら、他のエネルギー源、例えば、石油、天然ガス、原子力、水力など比べても十分、対抗できると言えるもので、その効果は計り知れない。
【図面の簡単な説明】
【００１５】
【図１】図１は本発明装置を真横から見た概略図である。oa1b1は扇型円盤の波が入る前のその円盤の位置、そして、oa1’b1’は波によって傾く、その予想される円盤位置を表す。Vは波のその進入方向を表す。
【図２】図２はその波の力により傾いた円盤をその波が通り過ぎるまで、その位置を保つべく設けたそのラチェットと孔の明いた柄杓とその押しバネを表した図で、その拡大図はその容器内の海水の減少によって、そのラチェットの爪も同時に動く連結構造を示した図である。
【図３】図３は本発明装置の立体斜視図で、aは扇型円盤の外周上に巻かれ固定されたチェーンを示す。b はその扇型円盤と対になる鎖歯車である。ｃはその波のエネルギーを蓄えるバネ、d はそのバネエネルギーからのエネルギー取得装置を表す。また、eはその装置全体を浮かすための浮体である。
【図４】図４は同装置を数基、沖に向かって並べ置いた図で、その図の上の装置は、海洋からの大波に備えた同装置で、必要に応じ、A1、A2、…、とその装置から下ろそうとするもので、その沖に向かう程、同装置は大型化になっている。
【図５】図５は、浮体構造を持つ同装置で、その沖に向かう先には、遠浅海岸を模した、斜面形体の構造物B1とそれを支える浮体B2、そして、その構造物の流出を抑えるための索、あるいは鎖B3とその重石B4など表す。その浮体B2の体内に海面の高さは計るセンサーB5である。そのセンサーの働きをもって、その装置全体を上げ下げして、その装置として、最適な高さを保ち得ようとする。B6  は同装置を上げ下げする駆動用モーターで、B7 はその働きをさす為の電源である。
【発明を実施するための形態】
【００１６】
図１〜図５はそれらを示したものである。具体的な実施例は図５などがそれである。
【図１】
2011236844.tif 000003
【図２】
2011236844.tif 000004
【図３】
2011236844.tif 000005
【図４】
2011236844.tif 000006
【図５】
2011236844.tif 000007
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
海洋の波を受けるに、二つの支柱をもってなす開口部があり、そこに支点があって、その支点を中心にして動く振り板、その板と芯を同じくする扇型円盤板、あるいは円盤板がその振り板に固定され、その振り板をもって波を受ける手段とする一方、その円盤板の円周上を歯車の歯を施す、あるいは、チェーンをもって固定されるもの、その円盤板と対になる小歯車、あるいは鎖歯車とをもって、その得られたエネルギーの伝達手段とし、その両支柱間の上部同士を固定されたる板、あるいはそれに類する物と、その振り板の外端を含め、両円盤外周部付近に当該振り板の外端と平行に設けた板、あるいはそれに類する物との間に直バネを取り付け、その波エネルギーをそのバネの伸縮をもって蓄え、その蓄え得られたバネエネルギーを前記記載の円盤板に、そして、それと対になる小歯車、あるいは鎖歯車に、その対になる歯車にはラチェットが具され、そのラチェットの働きを得て当該歯車の軸に伝え、それによって、発電等のエネルギーの取得を行うことを特長とした浮体、あるいは浮体構造を持つ振り子式波力発電装置
【請求項２】
前記記載請求項１の記載内容に加え、当該円盤板の両側に設けた横板とその円盤板との間で、当該円盤板の中心に通された軸、その軸を支えるその横板の軸受け部にそのラチェットの歯本体を固定する一方、そのラチェットの爪の支点となる軸をその円盤板に固定して、一つのラチェットとし、それを設ける一方、そのラチェットの爪のその支点軸より外に、もう一つの軸をその円盤板に固定し、その軸を中心に回る板を用意し、その板の外端に、孔の明いた容器、あるいは、下記記載と同じ働きをする容器を固定し、その軸を越えて延びる他方の板の端と、当該ラチェットの爪と一体となす板、その支点軸を超えて延びるその板とを連結せしめ、その連結は、その容器の動くに対し、当該ラチェットの爪も同時に動く連結構造とし、そのラチェットの爪の支点軸と、その外の軸との間に押しバネ、あるいは引きバネを用意して、その容器に満たされた海水の減少により、そのバネが働き、それによってラチェットの爪がその歯より外れ動くことを特長とした浮体、あるいは浮体構造を持つ振り子式波力発電装置  
【請求項３】
前記記載請求項１及び、請求項2の振り子式波力発電装置の構造において、海面に対し垂直に立つその一組の支柱を持つ当該装置を一基として数え、その数を多基とし、それを沖に向かって並べたる物と、さらに、海洋の波に対峙する前記装置の前方上段に海面よりある高さに備えたる同形装置も、多基とし、その上段の多基においては、図４の如く、装置A1,装置A2,装置A3,・・・と、その波の大きさに合わせて、逐次、降下させ、また、後に、上昇させる構造を持つ、その上段同装置とを加えた、浮体、あるいは浮体構造を持つ振り子式波力発電装置
【請求項４】
前記記載請求項１、請求項2及び、請求項3の振り子式波力発電装置があって、その装置の海に向かう前面に、図5の如く、浮体B2をもって斜面形体の構造物を支えて得た物と、同図中の重石B4の如く、海底に固定されたる物と、その二つの物をつなぐ、索、あるいは鎖 B3とをもって一体物とし、それと、前記の各請求項を持つその振り子式波力発電装置とを一対とする波力発電装置
【請求項５】
前記記載請求項１、請求項2、請求項３、請求項4に記載されている浮体構造を持つ振り子式波力発電装置にあって、図5で示されるように、その斜面形体の構造物内部に高さセンサー、あるいは、それとは別に海面に浮体を設け、そこに設置された高さセンサーと、図中B4の如く、駆動用モーター等の動力手段とをもって、同装置を海面に対し、常にある高さを自動的に保持しようとする、振り子式波力発電装置
【手続補正書】
【提出日】平成22年8月19日(2010.8.19)
【手続補正１】
【補正対象書類名】明細書
【補正対象項目名】０００７
【補正方法】変更
【補正の内容】
【０００７】
一方、それとは別に、その波がその装置内を通過するまで、傾いたその受け板をそのまま一時、保つ必要がある。それは、受け板にのしかかる、その海水の重さを無くそうとするもので、それは、図２の如くで、ラチェットと、孔の明いた柄杓とも言える容器、それと、押しバネをもって構成される。そのラチェットであるが、そのラチェットの歯本体は扇型円盤の外両脇に設けたその横板に固定し、そしてそのラチェットの爪側のその支点となる軸はその扇型円盤側に固定される。（そのラチェットの歯本体の設置位置は、その扇型円盤の中心穴に通された軸のその軸受けと同芯）  また、孔の明いた柄杓とも言える容器は、その図から分かるように、その波が通り過ぎる間、その容器に溜まった海水の量を減じさせその目的とする。すなわち、その容器が軽くなるならば、そこに示された押しバネが働き、それにより、爪はそのラチェットの歯から離れる。その一連の働きをもって、その波がその装置内を通過するまで、海面と平行、あるいは、平行近くまで傾いたその受け板をそのまま、保ち維持させることができる。
【手続補正２】
【補正対象書類名】明細書
【補正対象項目名】００１５
【補正方法】変更
【補正の内容】
【００１５】
【図１】図１は本発明装置を真横から見た概略図である。oa1b1は扇型円盤の波が入る前のその円盤の位置、そして、oa1’b1’は波によって傾く、その予想される円盤位置を表す。Vは波のそのの位置、そして、oa1’b1’は波によって傾く、その予想される円盤位置を表す。Vは波のその進入方向を表す。
【図２】図２はその波の力により傾いた円盤をその波が通り過ぎるまで、その位置を保つべく設けたそのラチェットと孔の明いた柄杓とその押しバネを表した図で、その拡大図はその容器内の海水の減少によって、そのラチェットの爪も同時に動く連結構造を示した図である。
【図３】図３は本発明装置の立体斜視図で、aは扇型円盤の外周上に巻かれ固定されたチェーンを示す。b はその扇型円盤と対になる鎖歯車である。ｃ はその波のエネルギーを蓄えるバネ、d はそのバネエネルギーからのエネルギー取得装置を表す。また、eはその装置全体を浮かすための浮体である。
【図４】図４は同装置を数基、沖に向かって並べ置いた図で、その図の上の装置は、海洋からの大波に備えた同装置で、必要に応じ、A1、A2、…、とその装置から下ろそうとするもので、その沖に向かう程、同装置は大型化になっている。
【図５】図５は、浮体構造を持つ同装置で、その沖に向かう先には、遠浅海岸を模した、斜面形体の構造物B1とそれを支える浮体B2、そして、その構造物の流出を抑えるための索、あるいは鎖B3とその重石B4など表す。その浮体B2の体内のB5は海面の高さを計るセンサーである。そのセンサーの働きをもって、その装置全体を上げ下げして、その装置として、最適な高さを保ち得ようとする。B6  は同装置を上げ下げする駆動用モーターで、B7 はその働きをさす為の電源である。
【手続補正３】
【補正対象書類名】特許請求の範囲
【補正対象項目名】請求項５
【補正方法】変更
【補正の内容】
【請求項５】
前記記載請求項１、請求項2、請求項３、請求項4に記載されている浮体構造を持つ振り子式波力発電装置にあって、図5で示されるように、その斜面形体の構造物内部に高さセンサー、あるいは、それとは別に海面に浮体を設け、そこに設置された高さセンサーと、図中B6の如く、駆動用モーター等の動力手段とをもって、同装置を海面に対し、常にある高さを自動的に保持しようとする、振り子式波力発電装置
【手続補正書】
【提出日】平成22年12月11日(2010.12.11)
【手続補正１】
【補正対象書類名】特許請求の範囲
【補正対象項目名】全文
【補正方法】変更
【補正の内容】
【特許請求の範囲】
【請求項１】
海洋の波を受けるに、二つの支柱をもってなす開口部があり、そこに支点があって、その支点を中心にして動く振り板、その板と芯を同じくする扇型円盤板、あるいは円盤板がその振り板に固定され、その振り板をもって波を受ける手段とする一方、その円盤板の円周上を歯車の歯を施す、あるいは、チェーンをもって固定されるもの、その円盤板と対になる小歯車、あるいは鎖歯車とをもって、その得られたエネルギーの伝達手段とし、その両支柱間の上部同士を固定されたる板、あるいはそれに類する物と、その振り板の外端を含め、両円盤外周部付近に当該振り板の外端と平行に設けた板、あるいはそれに類する物との間に直バネを取り付け、その波エネルギーをそのバネの伸縮をもって蓄え、その蓄え得られたバネエネルギーを前記記載の円盤板に、そして、それと対になる小歯車、あるいは鎖歯車に、その対になる歯車にはラチェットが具され、そのラチェットの働きを得て当該歯車の軸に伝え、それによって、発電等のエネルギーの取得を行うことを特長とした浮体、あるいは浮体構造を持つ振り子式波力発電装置
【請求項２】
前記記載請求項１の記載内容に加え、当該円盤板の両側に設けた横板とその円盤板との間で、当該円盤板の中心に通された軸、その軸を支えるその横板の軸受け部にそのラチェットの歯本体を固定する一方、そのラチェットの爪の支点となる軸をその円盤板に固定して、一つのラチェットとし、それを設ける一方、そのラチェットの爪のその支点軸より外に、もう一つの軸をその円盤板に固定し、その軸を中心に回る板を用意し、その板の外端に、孔の明いた容器、あるいは、下記記載と同じ働きをする容器を固定し、その軸を越えて延びる他方の板の端と、当該ラチェットの爪と一体となす板、その支点軸を超えて延びるその板とを連結せしめ、その連結は、その容器の動くに対し、当該ラチェットの爪も同時に動く連結構造とし、そのラチェットの爪の支点軸と、その外の軸との間に、（例えば、図３に示されている、そのバネ受けの固定がその容器上端と同じ側の場合、）押しバネを用意して、その容器に満たされた海水の減少により、そのバネが働き、それによってラチェットの爪がその歯より外れ動くことを特長とした浮体、あるいは浮体構造を持つ振り子式波力発電装置
【請求項３】
前記記載請求項１及び、請求項２、または、その何れか１項の記載の振り子式波力発電装置の構造において、海面に対し垂直に立つその一組の支柱を持つ当該装置を一基として数え、その数を多基とし、それを沖に向かって並べたる物と、さらに、海洋の波に対峙する前記装置の前方上段に海面よりある高さに備えたる同形装置も、多基とし、その上段の装置は、沖へ向かうほど大型化し、それら各装置は、その波の大きさに合わせて、小装置から大装置へと逐次、降下させ、また、後に、その波の静まりと共に、大装置から小装置へと逐次、上昇させる構造を持つ、その上段とを加えた、浮体、あるいは浮体構造を持り振り子式波力発電装置
【請求項４】
前記記載請求項１、請求項２及び、請求項３、または、少なくも、その何れか１項の振り子式波力発電装置があって、その装置の海に向かう前面に、岸より遠く、海中深く揺動している波、その潜在化しているエネルギーを顕在化すべく、沖へ向かう程、低くした斜面形
2011236844.tif 000008
の存在により、その沖より岸に向かう、ある波高と速度を持った波が一層、その波高を高め、その波の速度と相まって、増大しつつあるエネルギーが確保される一方、その浮体を定位置に保つべくその海底に固定されたる物と、その浮体とをつなぐ、索、あるいは鎖（例
2011236844.tif 000009
エネルギーの取得をすべく、前記の各請求項を持つその振り子式波力発電装置とを一対とする波力発電装置
【請求項５】
前記記載請求項１、請求項２、請求項３、請求項４、または、少なくも、その何れか１項に記載されている浮体構造を持つ振り子式波力発電装置にあって、（例えば、図５の中で、そ
2011236844.tif 000010
それとは別に海面に浮体を設け、その働きを同じくする、その浮体に設置された高さセンサーと、（例えば、同図５の中で、装置全体を上げ下げする為の物として駆動用モーター、
2011236844.tif 000011
を海面に対し、常にある高さを自動的に保持しようとする、振り子式波力発電装置